(57)【特許請求の範囲】
【請求項１】
表裏を貫通する複数の開孔を有する天面壁を有し、容器の口部において固定保持されるベースと、このベースの後側部にヒンジを介して回動可能に保持され、前記開孔に凸部を適合させて該開孔を閉塞する蓋体とを備え、容器を反転姿勢で上下に振動させる振り出し動作により容器内の内容物を前記天面壁の開孔を通して排出する振り出し容器用キャップであって、
前記ベースは、前記天面壁が、左右で一対になるサイド部と、このサイド部の相互間に位置し、前記サイド部との間で段差を形成する天板からなり、前記天板には、当該天板の前側半分が後側半分よりも一段低くなる段差がつけられているとともに、前記前側半分に前記開孔が設けられており、
前記蓋体は、その長手方向の中央に、前記蓋体の前側半分が後側半分の上面に重なるように折りたたむことができる他のヒンジが設けられており、
さらに、前記ベースには、前記サイド部の内側壁それぞれに、前記蓋体の幅方向端縁に連係して該蓋体の閉塞姿勢、開放姿勢をそれぞれ維持する係止片を設けるとともに、
前記ヒンジの対向位置に相当するベースの前側部に、狭小縁部を残して立ち上がるとともに、その両端が、前記サイド部それぞれの前記内側壁に一体連結されることにより、前記開孔を包囲して水蒸気の侵入を阻止する防護壁を設けたことを特徴とする振り出し容器用キャップ。
【請求項２】
前記蓋体に、前記狭小縁部及び前記防護壁の外側面に隙間を隔てて対面する端面及び内側壁部を有する垂下片を設けた、請求項１記載の振り出し容器用キャップ。
【請求項３】
前記防護壁は、上端部と蓋体の下面との間に隙間を有する、請求項１又は２記載の振り出し容器用キャップ。
【発明の詳細な説明】
【技術分野】
【０００１】
本発明は、容器を反転して該容器を上下に振動させる振り出し動作によって容器内の内容物を排出するのに好適なキャップに関するものであり、調理において発生する湯気（水蒸気等）による内容物の固化を防止して開孔における目詰まりを回避するとともに蓋体の確実な密閉を実現しようとするものである。
【背景技術】
【０００２】
粒子径の小さい、例えば、こしょう等の調味剤を入れる容器としては、その口部に複数の開孔を有するキャップを装着して、該キャップの開孔が下側に向くように容器を反転、該容器自体を上下に振動させる振り出し動作を行なうことで内容物の適量排出を可能としている（例えば特許文献１参照）。
【先行技術文献】
【特許文献】
【０００３】
【特許文献１】実公昭５６−２８９４０号公報
【０００４】
ところで、この種のキャップは、例えば、調理中にフライパンや鍋等に調味剤を振り出した際に、該フライパンや鍋等から立ち上る湯気（水蒸気）によって内容物が付着、固化してしまい開孔を閉塞させてしまったり（目詰まり）、蓋体を閉じることができなくなってしまう不具合があり、その改善が望まれていた。
【発明の概要】
【発明が解決しようとする課題】
【０００５】
本発明の課題は、上記のような振り出し容器が抱えていた従来の不具合を解消できる新規なキャップを提案するところにある。
【課題を解決するための手段】
【０００６】
本発明は、表裏を貫通する複数の開孔を有する天面壁を有し、容器の口部において固定保持されるベースと、このベースの後側部にヒンジを介して回動可能に保持され、前記開孔に凸部を適合させて該開孔を閉塞する蓋体とを備え、容器を反転姿勢で上下に振動させる振り出し動作により容器内の内容物を前記天面壁の開孔を通して排出する振り出し容器用キャップであって、
前記ベースは、前記天面壁が、左右で一対になるサイド部と、このサイド部の相互間に位置し、前記サイド部との間で段差を形成する天板からなり、前記天板には、当該天板の前側半分が後側半分よりも一段低くなる段差がつけられているとともに、前記前側半分に前記開孔が設けられており、
前記蓋体は、その長手方向の中央に、前記蓋体の前側半分が後側半分の上面に重なるように折りたたむことができる他のヒンジが設けられており、
さらに、前記ベースには、前記サイド部の内側壁それぞれに、前記蓋体の幅方向端縁に連係して該蓋体の閉塞姿勢、開放姿勢をそれぞれ維持する係止片を設けるとともに、
前記ヒンジの対向位置に相当するベースの前側部に、狭小縁部を残して立ち上がるとともに、その両端が、前記サイド部それぞれの前記内側壁に一体連結されることにより、前記開孔を包囲して水蒸気の侵入を阻止する防護壁を設けたことを特徴とする振り出し容器用キャップである。
【０００７】
上記の構成からなるキャップにおいて、蓋体としては、狭小縁部及び防護壁の外側面にそれぞれ隙間を隔てて対面する端面及び内側壁部を有する垂下片を設けたものが有利に適合する。防護壁の上端部と蓋体との間には隙間を設けるのが好ましい。
【発明の効果】
【０００８】
キャップを構成するベースの前側部に、狭小縁部（段付き部）を残して立ち上がるとともに開孔を包囲する防護壁を設けたため、この防護壁により湯気等の水蒸気が遮られることとなり、開孔が簡単に目詰まりすることはない。
【０００９】
ベースの天面壁に係止片を設け、この係止片を蓋体の幅方向の端縁に連係させて該蓋体の閉塞姿勢、開放姿勢を維持することにより、構造の複雑化を伴うことなしにキャップの姿勢を確実に保持することができるとともに、キャップの１パーツ化が可能となる。
【００１０】
蓋体の垂下片の下端面と狭小縁部との相互化に隙間を形成するようにしたため、この部位に内容物が付着、固化しても、蓋体を確実に閉じることができる。また、防護壁の上端部と蓋体の下面との間に隙間を設けることで防護壁の上端部に内容物が堆積、固化して蓋体が閉じなくなるのを防ぐことが可能となる。
【図面の簡単な説明】
【００１１】
【図１】本発明にしたがう振り出し容器用キャップの実施の形態を示した外観斜視図である。
【図２】図１に示したキャップにつき、蓋体の前側半分を開放した状態を示した外観斜視図である。
【図３】図１に示したキャップにつき、蓋体を閉じた状態を示した外観斜視図である。
【図４】図１に示したキャップの断面を示した図である。
【図５】本発明にしたがうキャップを装着した容器を用いて内容物を振り出している状況を示した図である。
【発明を実施するための形態】
【００１２】
以下、図面を用いて本発明をより具体的に説明する。
図１〜３は、本発明にしたがう振り出し容器用キャップの実施の形態を示したものであり、図４は、図１〜３に示したキャップの側面を断面で示した図である。
【００１３】
図における１は、容器の口部にねじ止め、あるいはアンダーカット係合等の手段により着脱自在に固定可能としたベースである。このベース１は、容器の口部を取り囲み、その内周壁で該口部に連係する周壁１ａと、この周壁１ａの上端部に一体連結する天面壁１ｂから構成されている。
【００１４】
天面壁１ｂは、外縁部の内側を一段低くした段差面ｔを有する左右で一対になる三日月状のサイド部１ｂ１（この部位が最も隆起している部分となる。）と、この各サイド部１ｂ１の相互間に位置し、該サイド部１ｂ１との間で段差を形成する天板１ｂ２からなっている（天板１ｂ２がサイド部１ｂ１よりも一段低くなっている。）。そして、該天板１ｂ２の後側半分で後述する蓋体の受け部を形成し、前側半分には、その表裏において貫通する複数の開孔２が設けられている（天板１ｂ２の後側半分と前側半分との間にも該前側半分が一段低くなる段差がつけられている。）。
【００１５】
また、３は、前側部分と後側部分からなり、天面壁１ｂの天板１ｂ２の上面に覆い被さる板状の蓋体である。この蓋体３は、該蓋体３を閉塞姿勢においたときその外表面がサイド部１ｂ１の段差面ｔと同一レベルにあり、天板１ｂ２の後端部にヒンジｈを介して回動可能に保持されている。蓋体３の長手方向の中央にはヒンジｈ１が設けられていて蓋体３の前側半分３ａを後側半分３ｂの上面に重なるように折りたたむことができるようになっている。４は、蓋体３の前側半分３ａの下面に設けられた筒状をなす凸部であり、蓋体３を閉じたとき、凸部４が開孔２に入り込む。
【００１６】
５は、ヒンジｈの対向位置に相当するベース１の前側部に狭小縁部ｔ１を残して立ち上がる防護壁である。この防護壁５は、周壁１ａに沿って設けられ、その両端は、各サイド部１ｂ１の内側壁に一体連結しており、これにより開孔２を包囲して該開孔２への湯気等の水蒸気の侵入を阻止する。
【００１７】
６は、天面壁１ｂを構成するサイド部１ｂ１の内側壁の前側に設けられた係止片、７は、天面壁１ｂを構成するサイド部１ｂ１の内側壁の後側に設けられた係止片である。係止片６は、蓋体３を閉じたときに蓋体３の前側半分３ａの幅方向端縁に連係させることによって該蓋体３の閉塞姿勢を保持し、係止片７は、蓋体３をヒンジｈ１を起点に折りたたんだ時に蓋体３の前側半分３ａの幅方向端縁に連係させることによって該蓋体３の開放姿勢を保持する。蓋体３の前側半部３ａの幅方向端縁には蓋体３の前側半分３ａを折りたたんで後側半分３ｂの上に重ね合わせた状態で係止片７に連係させることができるように凹部３ａ１が形成されこれによりその部位が薄肉になっている。
【００１８】
８は、蓋体３の先端に一体的に設けられた垂下片である。この垂下片８には、防護壁５の外側面に対面する内側壁部と、蓋体３の閉塞姿勢で狭小縁部ｔ１の上面との相互間で隙間Ｐを形成する端面（下端面）が形成されており（図４参照）、隙間Ｐにより内容物がこの部位で固着しても蓋体３を確実に閉じることができるようになっている。隙間Ｐは、狭小縁部ｔ１の両側端に該狭小縁部ｔ１との間で段差を形成する隆起部ｔ２が設け、この隆起部ｔ２の上端に垂下片８の下端面が付き当たることによって形成する場合について図示したが、逆に垂下片８の下端に突起を設けて狭小縁部ｔ１との間で隙間Ｐを形成してもよい。
【００１９】
さらに、９は、天板１ｂ２の後側半分に設けられた凹部、１０は、蓋体３の後側半分３ｂの下面に設けられ該凹部９に嵌合して蓋体３を天板１ｂ２に着脱自在に固定保持する凸部である。
【００２０】
上記の構成からなる振り出し容器用キャップにおいては、防護壁５により湯気等の水蒸気を遮ることができるので、開孔２に水蒸気が侵入して内容物を固化させ目詰まりを起す不具合を軽減することができる。
【００２１】
防護壁５は、ベース１を構成する周壁１ａの上端部に直接設けても湯気等の水蒸気の侵入防止効果は期待できるが、その効果をより一層高めるため、周壁１ａの外周面よりも径方向の内側にへこませて段差部を形成する狭小縁部ｔ１を設けるのが最もよい。防護壁５の高さは、蓋体３を閉じたときに蓋体３の下面との相互間に隙間Ｐ１が形成できる程度の高さに設定しておくのが望ましく（図４参照）、これにより防護壁５の上端に内容物が堆積、固化しても蓋体３の確実を確実に閉じることができる。なお、隙間Ｐ１は蓋体３の下面に凹部を設けることによって形成するようにしてもよく、この点についてはとくに限定されない。
【００２２】
蓋体３には、該蓋体３を開放する際に指掛かりとなる引き上げ舌片３ｃを設けた場合について示したが、周壁１ａに凹所１１を設け、蓋体３の下端に指を引っ掛けることができるようオーバーハング状にしておくことにより引き上げ舌片３ｃを設けるのを省略することができる。
【００２３】
垂下片８は、図４に示すように、内側壁部と防護壁５の外側面との間で隙間Ｐ２を形成するようにしておくのがよく、これにより防護壁５の外側面に内容物が付着、固化しても蓋体３を確実に閉じることになる。
【００２４】
本発明にしたがう振り出し容器用キャップは、合成樹脂を射出成形することによって成形することができるものであり、構造が簡素化されており、かつ、１パーツにて構成することを可能としている。
【産業上の利用可能性】
【００２５】
調理等において立ち上る湯気（水蒸気）等に起因した内容物の固化に伴う開孔の目詰まり等の不具合を解消し得る振り出し容器用のキャップが提供できる。
【符号の説明】
【００２６】
１    ベース
１ａ  周壁
１ｂ  天面壁
２    開孔
３    蓋体
３ａ  前側半分
３ｂ  後側半分
３ｃ  舌片
４    凸部
５    防護壁
６    係止片
７    係止片
８    垂下片
９    凹部
１０  凸部
１１  凹所
ｔ    段差面
ｔ１  狭小縁部
【図１】
0005507206.tif 000002
【図２】
0005507206.tif 000003
【図３】
0005507206.tif 000004
【図４】
0005507206.tif 000005
【図５】
0005507206.tif 000006